(57)【要約】【課題】  本発明は、現在に至る以下の不都合、及び負担を解決するものとする。１）  消費電力の削減２）  法人、個人並びに、固定照明器具利用者全てに当てはまる、電気料金の大幅な削減。３）  突発的障害（地震、停電、配線ケーブルの電気ショート等の火災事故）による予防対策。４）  本発明による照明設備器具は半永久利用が可能となることで、従来使用の電球、蛍光管等の交換作業をはぶき、また未使用になった廃棄処理の必要性もないこと。【解決手段】  従来の電気照明設備に対し、図１〜５などにより、この課題を解決する。【選択図】図１
2007234605.tif 000002
【特許請求の範囲】
【請求項１】
従来、並列・直列配線により使われていた屋内、屋外の電気照明設備を単体（１台）の電灯（照明器具）を使用して光ファイバーケーブル、光ファイバーケーブル専用分配器（分波器）、また各種凸凹レンズにより屋内、屋外の様々な照明、及び連続照明を可能とする望遠光照明設備を実現させる。
【請求項２】
請求項１による単体の照明器具（１００Ｖ、６０Ｗ〜１５０Ｗのスポットライト型）により光を放射する。放射された光に対し、平凸レンズを使用し光の分散を防ぎ一定の方向に光を放射させる。
【請求項３】
請求項２により一定の方向に放射された光に対し、両凸レンズを使用し放たれた光を一点に集中（集約）させる。
【請求項４】
請求項３により一点に焦点（放たれた光のすべてが交わる点）された光個所に光ファイバーケーブル内心線（コア）を固定させ、光ケーブルにより照明必要付近個所まで配線する。
【請求項５】
請求項４により配線された光ケーブル末端に、内部にハーフミラー等を使った光ケーブル専用分配器（分波器）を接続し光の分配を行い、各部に分配された光にそれぞれ光ケーブルを接続し照明必要個所まで配線する。
【請求項６】
請求項５により配線された光ケーブル末端部に、望遠レンズ（凸凹レンズの組み合わせ）を使用し光を拡大させる。
【請求項７】
請求項６により拡大された光に対し、照明放射レンズを設置することにより、照明が必要とされる周辺に光を放射させ、光照明器具設備、また請求項１の実現とする。
【請求項８】
請求項５により配線された光ケーブル末端部先に、蛍光放射レンズを使い、照明が必要とされる周辺に光を放射させ、光照明器具設備、また請求項１の実現とする。また、これは光の通過を利用し放射させたものである。
【請求項９】
光を受け入れ、請求項８により実現された蛍光放射レンズを使った照明設備末端部（光の焦点部分）に光ケーブルを接続する。
【請求項１０】
請求項９により接続された光ケーブルに対し、請求項８、請求項９の繰り返し手順から、請求項８による照明器具についての光専用分配器（分波器）を必要としない連続光照明器具設備となり、また請求項１の実現とする。
【発明の詳細な説明】
【技術分野】
【０００１】  本発明は、照明設備に関するものであり、望遠、凸凹レンズ、光ファイバーケーブル光専用分配器等を使用することで、従来の電気照明設備（屋内、屋外照明）と対比し、様々なエネルギーの削減を実現したものである。
【背景技術】
【０００２】  従来から通信ケーブルとして光ファイバーケーブル、専用分配器が、また各種レンズとしてカメラ、望遠鏡等が利用されている。特許文献は不明だが、この例として以下、非特許文献１、非特許文献２に開示されているものがある。
【非特許文献１】  西村憲一、白川英俊著、社団法人電気通信協会出版、平成７年３月１０日発行、Ｐ５３〜５８、Ｐ１１６〜１２０
【非特許文献２】  永田信一著、株式会社日本実業出版社、平成１７年５月２０日  Ｐ３０〜３１、Ｐ１５０〜１５１
【発明の開示】
【発明が解決しようとする課題】
【０００３】  従来の電気照明設備に関し、実質上、以下４項目のエネルギーを費やしており、このようなエネルギー、また不都合を大幅に削減し、解決する事を課題とする。
１）  原子力、風力、火力、水力などからつくられている電力。
２）  固定照明器具による発電使用時の全てに当てはまる電気料金。
３）  突発的障害（地震、停電、配線ケーブルの電気ショートなどの火災事故）              による不備。
４）  使用後の電球、蛍光管の交換作業、並びにその廃棄処分。
【課題を解決するための手段】
【０００４】  この課題を解決するための請求項１の発明は、本発明の全体像を想像するものであり、従来、電源ケーブルを使用し、直列、あるいは並列接続により電気配線され、その接続端末には、電球、あるいは蛍光灯等が各必要個所に設備されていたが、各世帯、ビル、法人、個人、屋内、屋外を問わず、単体の照明器具を使用して、光ファイバーケーブル、光ファイバーケーブル専用分配器、各種凸凹レンズ、専用照明器具、望遠レンズを利用し、前項の問題を解決するものとする。（図１参照）【０００５】  また、その具体的な解決手順として次項より説明する。【０００６】  請求項２の発明は、単体のスポット型（一方方向に光を放つタイプの照明灯）照明器具を使い、１００Ｖの電源を利用し放射させる。（光の強度は、利用者の用途に応じるのであるが、通常は６０Ｗ〜１５０Ｗ程度とされる）放たれた光に対し光の広がりを防ぐ為、平凸レンズ（図２参照）を設置し、光を一定の方向に強制し放射させる。【０００７】  請求項３の発明は、一定の方向に強制させ放射された光を、光ファイバーケーブルの心線一点に光を集中させるため、両凸レンズ（図２参照）を使用し光の集中をはかり、焦点（放たれた光の全てが交わる点）に光ケーブル心線を接合し固定させる。尚、光ケーブルの口径として、光の焦点が漏れなく光を通過できる径とする。【０００８】  請求項４の発明は、固定された光ケーブルを、必要とされる照明（家庭内の各部屋、オフィス、フロア、屋外電灯等）付近まで配線する。（図１参照）【０００９】  請求項５の発明は、配線された光ケーブル末端部に必要分（必要照明数）の光ケーブ専用分配器を取り付け接続する。更に分配器で枝分かれした各所に光ケーブルを接続し、照明の必要とされる場所まで光ケーブルを配線する。（図１参照）【００１０】  請求項６の発明は、配線された光ケーブル末端部に、充分な光の照明を実現させる為、集約された光に対し、望遠レンズ（図４参照）を設置し光を拡大させる。尚、これらのレンズは光ケーブルから放たれた光を漏れなく拡大する為の手法としているが、レンズの並び替えや増減は必要に応じて行うこととする。【００１１】  請求項７の発明は、拡大された光に対し、照明放射レンズ（図５・▲１▼▲２▼参照）等を設置することにより、照明が必要とされる周辺に光を放射させるものとし、従来の電気照明設備とは異なり、光ケーブルから放たれた照明器具設備として、請求項１を実現するもである。【００１２】  請求項８の発明は、拡大された光に対し、蛍光放射レンズ（円柱型照明器具、また専用オリジナルカバー（図３参照））を用い、照明が必要とされる周囲に光を放射させるものとし、従来の電気照明設備と異なり、光ケーブルから放たれた照明器具設備として実現するものである。尚、当項目は前項（〔００１１〕請求項７解説）とは器具の形態として異なるが、設備（光の照明器具）として同等の条件を有するものである。【００１３】  請求項９の発明は、前項（〔００１２〕請求項８解説）の照明器具を用いて、光ケーブル専用分配器を必要としない連続照明を可能とさせる手段として、請求項８により実現された蛍光放射レンズ両端を、両凸レンズ型（図３参照）にし、その末端部（光の焦点部分）に光���ーブルを接続する。【００１４】  請求項１０の発明は、接続された光ケーブルに対し、蛍光放射レンズ（図３参照）を用い、照明が必要とされる周囲に光を放射させる（請求項８）。更に請求項８により実現された蛍光放射レンズ末端部（光の焦点部分）に光ケーブルを接続する（請求項９）という２つの手順から、光専用分配器を必要としない連続光照明器具設備、並びに請求項１を実現させるものである。
【発明の効果】
【００１５】  本発明により、従来の電気照明設備と異なり、電力消費、電気料金、突発的障害、照明器具寿命による交換、及びその廃棄等、これら肉体的、精神的、現実的消費を削減する事となり、またこれらの開放から、日中、深夜等の照明を必要とする環境に対し、各ニーズに対応できる事になる。【００１６】  また、本発明を個人、地域、区市町村、都道府県単位により、設備（光ケーブルのネットワーク化）の拡大をはかることで、屋内、屋外ほぼ全ての電気照明電力の大幅な削減を実現するものである。
【発明を実施するための最良の形態】
【００１７】  図１は、本発明の全体を想像できる図面である。一つの照明から屋内、屋外問わず一連の形態により照明設備として成り立つことを示す。【００１８】  図２は、光の照明を焦点させる為の器具としたことを特徴とする、光を一定方向にし、尚且つその光を集中させる為の側面図、並びに断面図である。同図に示すように、各種レンズを円柱型容器（材質として耐熱性が望ましい）に包み込み、放射された光が透明な円柱型ガラス材を通過し、平凸レンズにより光を一定方向に定め、その後両凸レンズにより光を集約させ円柱型ガラスレンズに焦点させる。尚、側面図による距離間Ａ、Ｂは放射された光の度合（出力度）により調整する必要がある。またこの円柱型容器の内部は水滴、水蒸気などを発生させない為に無酸素（酸素を取り除く）状態が必須条件とされる。【００１９】  図３は、従来の蛍光灯（蛍光管）の代用とした設備を特徴とする、光ケーブルから伝達された光を照明させるための側面図、並びに断面図である。同図に示すように光ケーブルから伝達された光を、片側円柱型ガラスレンズ（左）で光を受け入れ、ガラス材の円柱型ガラス棒レンズ（両サイドは凸レンズ型とする）を通し、通過した光の受け入れ対象とされる円柱型ガラスレンズ（右）に送り込む。つまり、当器具は光の通過を利用し放射させる為の設備となる。またこれらの設備保護のため、並びに光の増大をはかるため、同図ような透明な筒（ガラス材、またはプラスチック材等）を取り付ける。この筒の内面は、細かな半円形（平凸レンズ）の製作により光の拡大が可能とされる。更にこの円柱棒本体（ガラス管）の表面は通過する光を発光させる為の白など（色は用途による）の蛍光色（材料、成分等不明）を散布（塗布）する必要がある。尚、これらの設備内は前項〔００１８〕と同様、内部は水滴、水蒸気などを発生させない為に無酸素状態が必須条件とされる。また、側面図による距離間Ｃ、Ｄは放射された光の度合により調整する必要がある。【００２０】  図４は、光ケーブルにより伝達された光を一定な光として拡散させるための設備の側面、並びに断面図である。光の集中、光の拡大、更に光を一定内に放射させることとし、また、側面図による距離間Ｅ、Ｆ、Ｇ、Ｈは放射された光の度合により調整する必要がある。同図は、望遠鏡と同等の設備形態であるが、前項〔００１９〕と同様、内部は水滴、水蒸気などを発生させない為に無酸素状態が必須条件とされる。【００２１】  図５は、従来の電球（照明器具）の代用とした設備を特徴とする照明体であり、光ケーブルから伝達された光を照明させるための側面図、並びに断面図である。一定な光として拡散された光を同図のような形態をとり、光を放射させる事とする。更にこの照明体（ガラス球）の表面は通過する光を発光させる為の白、またはオレンジ等の蛍光色を散布（塗布）する必要がある。尚、図５−▲１▼（３０）の球体内部は空洞の為、前項〔００２０〕と同様、球体内部の水滴、水蒸気などを発生させない為に無酸素状態が必須条件とされる。【００２２】  各図面による全ての設備は、必要とされる各個所に固定されるものである為、それぞれ専用の固定器具が必要とされる。【００２３】  また、各照明器具設備については、用途に応���て、入切（光の通過、遮断）スイッチ、ボリューム（光の大小）を設備（取り付け）する必要がある。
【産業上の利用可能性】
【００２４】  本発明に係る望遠光照明設備は、工業的に量産する事が可能であるため、産業上の利用可能性を有する。
【図面の簡単な説明】
【００２３】  １    光の焦点（放射された全ての光の交わる点）を実現する為の設備器具
２    光ケーブル専用分配器（分波器）
３    光ファイバーケーブル
４    室内等の天井
５    従来の蛍光灯（蛍光管）代用の蛍光放射レンズ
６    望遠レンズ（光を一定拡大させる為の設備器具）
７    従来の電球（照明器具）代用の照明放射レンズ
８    屋内、屋外の分離線
９    建物の壁、屋外照明に使われる電柱
１０    円柱型容器
１１    平凸レンズ
１２    両凸レンズ
１３    円柱型ガラスレンズ
１４    円柱型ガラス材
１５    外蓋（両サイドの外のふた）
１６    円柱型ガラスレンズ
１７    ガラス棒レンズ固定器具
１８    光放射のガラス棒レンズ
１９    光を拡大放射させる為の放射容器（専用オリジナルカバー）
２０    円柱型ガラスレンズ
２１    ガラス棒レンズ（両サイド平凸レンズ）
２２    光を拡大放射させる為の放射容器内側内部の平凸レンズ
２３    円柱型ガラスレンズ
２４    両凸レンズ
２５    両凹レンズ
２６    両凸レンズ
２７    円柱型容器
２８    円柱型ガラス材
２９    光放射の円柱型照明レンズ
３０    光放射の円柱型ガラス管（管内空洞）
３１    光放射の球型ガラスレンズ
【図１】
2007234605.tif 000003
【図２】
2007234605.tif 000004
【図３】
2007234605.tif 000005
【図４】
2007234605.tif 000006
【図５】
2007234605.tif 000007
【手続補正書】
【提出日】平成19年4月23日(2007.4.23)
【手続補正１】
【補正対象書類名】明細書
【補正対象項目名】全文
【補正方法】変更
【補正の内容】
【発明の詳細な説明】
【技術分野】
【０００１】  本発明は、照明設備に関するものであり、望遠、凸凹レンズ、光ファイバーケーブル光専用分配器等を使用することで、従来の電気照明設備（屋内、屋外照明）と対比し、様々なエネルギーの削減を実現したものである。
【背景技術】
【０００２】  従来から通信ケーブルとして光ファイバーケーブル、専用分配器が、また各種レンズとしてカメラ、望遠鏡等が利用されている。特許文献は不明だが、この例として以下、非特許文献１、非特許文献２に開示されているものがある。
【非特許文献１】  西村憲一、白川英俊著、社団法人電気通信協会出版、平成７年３月１０日発行、Ｐ５３〜５８、Ｐ１１６〜１２０
【非特許文献２】  永田信一著、株式会社日本実業出版社、平成１７年５月２０日  Ｐ３０〜３１、Ｐ１５０〜１５１
【発明の開示】
【発明が解決しようとする課題】
【０００３】  従来の電気照明設備に関し、実質上、以下４項目のエネルギーを費やしており、このようなエネルギー、また不都合を大幅に削減し、解決する事を課題とする。
１）  原子力、風力、火力、水力などからつくられている電力。
２）  固定照明器具による発電使用時の全てに当てはまる電気料金。
３）  突発的障害（地震、停電、配線ケーブルの電気ショートなどの火災事故）による不備。
４）  使用後の電球、蛍光管の交換作業、並びにその廃棄処分。
【課題を解決するための手段】
【０００４】  この課題を解決するための請求項１の発明は、本発明の全体像を想像するものであり、従来、電源ケーブルを使用し、直列、あるいは並列接続により電気配線され、その接続端末には、電球、あるいは蛍光灯等が各必要個所に設備されていたが、各世帯、ビル、法人、個人、屋内、屋外を問わず、単体の照明器具を使用して、光ファイバーケーブル、光ファイバーケーブル専用分配器、各種凸凹レンズ、専用照明器具、望遠レンズを利用し、前項の問題を解決するものとする。（図１参照）【０００５】  また、その具体的な解決手順として次項より説明する。【０００６】  請求項２の発明は、単体のスポット型（一方方向に光を放つタイプの照明灯）照明器具を使い、１００Ｖの電源を利用し放射させる。（光の強度は、利用者の用途に応じるのであるが、通常は６０Ｗ〜１５０Ｗ程度とされる）放たれた光に対し光の広がりを防ぐ為、平凸レンズ（図２参照）を設置し、光を一定の方向に強制し放射させる。【０００７】  請求項３の発明は、一定の方向に強制させ放射された光を、光ファイバーケーブルの心線一点に光を集中させるため、両凸レンズ（図２参照）を使用し光の集中をはかり、焦点（放たれた光の全てが交わる点）に光ケーブル心線を接合し固定させる。尚、光ケーブルの口径として、光の焦点が漏れなく光を通過できる径とする。【０００８】  請求項４の発明は、固定された光ケーブルを、必要とされる照明（家庭内の各部屋、オフィス、フロア、屋外電灯等）付近まで配線する。（図１参照）【０００９】  請求項５の発明は、配線された光ケーブル末端部に必要分（必要照明数）の光ケーブル専用分配器を取り付け接続する。更に分配器で枝分かれした各所に光ケーブルを接続し、照明の必要とされる場所まで光ケーブルを配線する。（図１参照）【００１０】  請求項６の発明は、配線された光ケーブル末端部に、充分な光の照明を実現させる為、集約された光に対し、望遠レンズ（図４参照）を設置し光を拡大させる。尚、これらのレンズは光ケーブルから放たれた光を漏れなく拡大する為の手法としているが、レンズの並び替えや増減は必要に応じて行うこととする。【００１１】  請求項７の発明は、拡大された光に対し、照明放射レンズ（図５・▲１▼▲２▼参照）等を設置することにより、照明が必要とされる周辺に光を放射させるものとし、従来の電気照明設備とは異なり、光ケーブルから放たれた照明器具設備として、請求項１を実現するもである。【００１２】  請求項８の発明は、拡大された光に対し、蛍光放射レンズ（円柱型照明器具、また専用オリジナルカバー（図３参照））を用い、照明が必要とされる周囲に光を放射させるものとし、従来の電気照明設備と異なり、光ケーブルから放たれた照明器具設備として実現するものである。尚、当項目は前項（〔００１１〕請求項７解説）とは器具の形態として異なるが、設備（光の照明器具）として同等の条件を有するものである。【００１３】  請求項９の発明は、前項（〔００１２〕請求項８解説）の照明器具を用いて、光ケーブル専用分配器を必要としない連続照明を可能とさせる手段として、請求項８により実現された蛍光放射レンズ両端を、両凸レンズ型（図３参照）にし、その末端部（光の焦点部分）に���ケーブルを接続する。【００１４】  請求項１０の発明は、接続された光ケーブルに対し、蛍光放射レンズ（図３参照）を用い、照明が必要とされる周囲に光を放射させる（請求項８）。更に請求項８により実現された蛍光放射レンズ末端部（光の焦点部分）に光ケーブルを接続する（請求項９）という２つの手順から、光専用分配器を必要としない連続光照明器具設備、並びに請求項１を実現させるものである。
【発明の効果】
【００１５】  本発明により、従来の電気照明設備と異なり、電力消費、電気料金、突発的障害、照明器具寿命による交換、及びその廃棄等、これら肉体的、精神的、現実的消費を削減する事となり、またこれらの開放から、日中、深夜等の照明を必要とする環境に対し、各ニーズに対応できる事になる。【００１６】  また、本発明を個人、地域、区市町村、都道府県単位により、設備（光ケーブルのネットワーク化）の拡大をはかることで、屋内、屋外ほぼ全ての電気照明電力の大幅な削減を実現するものである。
【発明を実施するための最良の形態】
【００１７】  図１は、本発明の全体を想像できる図面である。一つの照明から屋内、屋外問わず一連の形態により照明設備として成り立つことを示す。【００１８】  図２は、光の照明を焦点させる為の器具としたことを特徴とする、光を一定方向にし、尚且つその光を集中させる為の側面図、並びに断面図である。同図に示すように、各種レンズを円柱型容器（材質として耐熱性が望ましい）に包み込み、放射された光が透明な円柱型ガラス材を通過し、平凸レンズにより光を一定方向に定め、その後両凸レンズにより光を集約させ円柱型ガラスレンズに焦点させる。尚、側面図による距離間Ａ、Ｂは放射された光の度合（出力度）により調整する必要がある。またこの円柱型容器の内部は水滴、水蒸気などを発生させない為に無酸素（酸素を取り除く）状態が必須条件とされる。【００１９】  図３は、従来の蛍光灯（蛍光管）の代用とした設備を特徴とする、光ケーブルから伝達された光を照明させるための側面図、並びに断面図である。同図に示すように光ケーブルから伝達された光を、片側円柱型ガラスレンズ（左）で光を受け入れ、ガラス材の円柱型ガラス棒レンズ（両サイドは凸レンズ型とする）を通し、通過した光の受け入れ対象とされる円柱型ガラスレンズ（右）に送り込む。つまり、当器具は光の通過を利用し放射させる為の設備となる。またこれらの設備保護のため、並びに光の増大をはかるため、同図ような透明な筒（ガラス材、またはプラスチック材等）を取り付ける。この筒の内面は、細かな半円形（平凸レンズ）の製作により光の拡大が可能とされる。更にこの円柱棒本体（ガラス管）の表面は通過する光を発光させる為の白など（色は用途による）の蛍光色（材料、成分等不明）を散布（塗布）する必要がある。尚、これらの設備内は前項〔００１８〕と同様、内部は水滴、水蒸気などを発生させない為に無酸素状態が必須条件とされる。また、側面図による距離間Ｃ、Ｄは放射された光の度合により調整する必要がある。【００２０】  図４は、光ケーブルにより伝達された光を一定な光として拡散させるための設備の側面、並びに断面図である。光の集中、光の拡大、更に光を一定内に放射させることとし、また、側面図による距離間Ｅ、Ｆ、Ｇ、Ｈは放射された光の度合により調整する必要がある。同図は、望遠鏡と同等の設備形態であるが、前項〔００１９〕と同様、内部は水滴、水蒸気などを発生させない為に無酸素状態が必須条件とされる。【００２１】  図５は、従来の電球（照明器具）の代用とした設備を特徴とする照明体であり、光ケーブルから伝達された光を照明させるための側面図、並びに断面図である。一定な光として拡散された光を同図のような形態をとり、光を放射させる事とする。更にこの照明体（ガラス球）の表面は通過する光を発光させる為の白、またはオレンジ等の蛍光色を散布（塗布）する必要がある。尚、図５−▲１▼（３０）の球体内部は空洞の為、前項〔００２０〕と同様、球体内部の水滴、水蒸気などを発生させない為に無酸素状態が必須条件とされる。【００２２】  各図面による全ての設備は、必要とされる各個所に固定されるものである為、それぞれ専用の固定器具が必要とされる。【００２３】  また、各照明器具設備については、用途に応���て、入切（光の通過、遮断）スイッチ、ボリューム（光の大小）を設備（取り付け）する必要がある。
【産業上の利用可能性】
【００２４】  本発明に係る望遠光照明設備は、工業的に量産する事が可能であるため、産業上の利用可能性を有する。
【図面の簡単な説明】
【００２５】
【図１】  本発明に関わる照明設備の平面図である
【図２】  光を焦点させる設備器具の平面図、並びに立面図である
【図３】  蛍光放射レンズの平面図、並びに立面図である
【図４】  望遠レンズの平面図、並びに立面図である
【図５】  照明放射レンズの平面図、並びに立面図である
【符号の説明】
【００２６】  １    光の焦点（放射された全ての光の交わる点）を実現する為の設備器具
２    光ケーブル専用分配器（分波器）
３    光ファイバーケーブル
４    室内等の天井
５    従来の蛍光灯（蛍光管）代用の蛍光放射レンズ
６    望遠レンズ（光を一定拡大させる為の設備器具）
７    従来の電球（照明器具）代用の照明放射レンズ
８    屋内、屋外の分離線
９    建物の壁、屋外照明に使われる電柱
１０    円柱型容器
１１    平凸レンズ
１２    両凸レンズ
１３    円柱型ガラスレンズ
１４    円柱型ガラス材
１５    外蓋（両サイドの外のふた）
１６    円柱型ガラスレンズ
１７    ガラス棒レンズ固定器具
１８    光放射のガラス棒レンズ
１９    光を拡大放射させる為の放射容器（専用オリジナルカバー）
２０    円柱型ガラスレンズ
２１    ガラス棒レンズ（両サイド平凸レンズ）
２２    光を拡大放射させる為の放射容器内側内部の平凸レンズ
２３    円柱型ガラスレンズ
２４    両凸レンズ
２５    両凹レンズ
２６    両凸レンズ
２７    円柱型容器
２８    円柱型ガラス材
２９    光放射の円柱型照明レンズ
３０    光放射の円柱型ガラス管（管内空洞）
３１    光放射の球型ガラスレンズ